【事件の表示】
　特願２０１６−１４３７５９「無人商品引渡システム」拒絶査定不服審判事件〔平成３０年　１月２５日出願公開、特開２０１８−　１３９９６、請求項の数（６）〕について、次のとおり審決する。
【結　論】
　原査定を取り消す。
　本願の発明は、特許すべきものとする。
【理　由】
第１　手続の経緯
　本願は、平成２８年７月２１日の出願であって、平成３１年２月１８日付けで拒絶理由通知がされ、平成３１年４月８日付けで手続補正がされ、令和元年９月１３日付けで拒絶査定（原査定）がされ、これに対し、令和元年１２月１０日に拒絶査定不服審判の請求がされたものである。
第２　原査定の概要
　原査定（令和元年９月１３日付け拒絶査定）の概要は次のとおりである。
　本願請求項１−６に係る発明は、引用文献１−３に記載された発明、及び、引用文献４−７に記載のごとくの周知技術に基づいて、その発明の属する技術の分野における通常の知識を有する者（以下、「当業者」という。）が容易に発明できたものであるから、特許法第２９条第２項の規定により特許を受けることができない。
引用文献等一覧
１.特開２００３−１５７４７２号公報
２.特開２０１６−１１０５６３号公報
３.特開２００２−１７４０６１号公報
４.特開２００２−１０９６１４号公報（周知技術を示す文献）
５.特開２０１１−０４７２５４号公報（周知技術を示す文献）
６.特開２０１５−１９０１７０号公報（周知技術を示す文献）
７.特開２００５−２３２７５４号公報（周知技術を示す文献）
第３　本願発明
　本願請求項１−６に係る発明（以下、それぞれ「本願発明１」−「本願発明６」という。）は、平成３１年４月８日付けの手続補正で補正された特許請求の範囲の請求項１−６に記載された事項により特定される発明であり、本願発明１は以下のとおりの発明である。
「【請求項１】
　ユーザ端末からサーバにアクセスして商品の購入決済を行い、該購入決済後に、商品が収容された商品収容装置から決済した商品の引渡しを受ける無人商品引渡システムであって、
　前記サーバは、
　前記商品の情報が記憶される第１記憶部と、前記ユーザ端末からの前記商品の購入決済を受付ける決済受付部と、購入決済完了後に前記購入決済した際の前記ユーザ端末の現在位置を含む決済完了情報を通知する決済完了通知部とを有し、
　前記ユーザ端末は、
　固有の識別子が記憶される第２記憶部と、前記サーバの第１記憶部に記憶された商品の購入決済操作を受付ける操作受付部と、前記サーバが通知する決済完了情報が記憶される第３記憶部と、ユーザ端末の現在位置を出力する位置情報出力部とを有し、
　前記商品収容装置は、
　電気錠により施錠及び開錠が可能な複数の収容エリアを有し、前記サーバの第１記憶部に記憶されている商品の情報に対応する商品が前記複数の収容エリアのそれぞれに個別に収容される商品収容部と、前記サーバが発行する決済完了情報が記憶される第４記憶部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品が収容された収容エリアの電気錠を開錠する商品引渡部とを有する
　ことを特徴とする無人商品引渡システム。」
　なお、本願発明２−６の概要は以下のとおりである。
　本願発明２は、本願発明１の商品収容装置が有する第１判定部及び商品引き渡し部を、サーバが有するものとした発明である。
　本願発明３−６は、本願発明１または２を減縮した発明である。
第４　引用文献、引用発明等
１．引用文献１について
　原査定の拒絶の理由に引用された引用文献１（特開２００３−１５７４７２号公報）には、図面とともに次の事項が記載されている（下線は、当審で付した。以下同じ。）。
「【００３８】図１は、本発明のマルチボックス装置を用いた
オンライン販売システム
【００３９】図１に示す本実施の形態は、通信ネットワークとしてのインターネット５００と、インターネット５００に接続されインターネット５００上に商品の販売或いはレンタルを行う
販売サイト２００を開設する販売装置２５０
利用者端末３００
マルチボックス装置１００
から構成されている
「【００４３】
マルチボックス装置１００は、商品を収納可能な収納部（収納ボックス）を複数備えた商品収納装置であり、各収納部は正面側と背面側の両面に自動錠付扉を備えている
「【００４４】そして、
マルチボックス装置１００は、さらに
情報処理手段を備えており、情報処理手段は各収納部の自動錠付扉の開閉を制御するため各自動錠付扉に接続されている
「【００４８】販売サイト２００の会員である
利用者３５０は、自己の利用者端末３００から販売サイト２００にアクセスし、希望する商品の検索・閲覧を行い、購入を行いたい商品の購入契約を行う
購入契約と同時に
料金決済を行ってしまう場合には、その手続きも同時に行う
【００４９】
販売サイト２００
商品の購入契約が成されると、該商品を一意に識別可能な商品識別コードを生成すると共に、該商品識別コード
を含む取引情報６００を生成して、この取引情報６００をマルチボックス装置１００へ送信する
「【００５０】マルチボックス装置１００は、販売サイト２００からの取引情報６００を受信すると、取引情報６００の内容を自マルチボックス装置１００に備えられている表示装置に表示する。取引情報６００の内容が
マルチボックス装置１００の設置してある店舗１５０の係員
は取引情報６００に記載の商品を取り揃え
マルチボックス装置１００の未使用の収納部の背面側の自動錠付扉を開けて商品を収納し
【００５１】
マルチボックス装置１００の何れかの収納部に商品が収納されると
該収納通知７００を
利用者端末３００に電子メールで通知する
収納通知７００には
取引情報６００に記載の商品識別コード
が含まれている
「【００５２】
収納通知７００を利用者端末３００で受信した利用者３５０
マルチボックス装置１００に対して
収納通知７００に記載されていた商品識別コードを入力する
マルチボックス装置１００は、該商品識別コードで識別される商品が収納されている収納部の正面側の自動錠付扉の施錠を解除する
利用者３５０は該収納部から購入商品を取り出して引き取る
「【００５３】以上説明したように、
本発明のマルチボックス装置を用いたオンライン販売システムは
商品の受け取りにあたって
店舗の係員とも接触することなく完全な無人化取引が可能となり
「【００６６】次に、本発明のマルチボックス装置１００の動作について詳細に説明する。」
「【００６８】
マルチボックス装置１００は、インターネット５００上の販売サイト２００から、ある商品の販売或いはレンタルの成約を示す取引情報（図１に示した取引情報６００）を受信する
該取引情報には取引契約（購入契約）された商品の商品識別コード
が明示されている
「【００７０】すると、マルチボックス装置１００の情報処理部９０は、該商品がマルチボックス装置１００に収納された旨を通知する収納通知（図１に示した収納通知７００）を生成し、該
収納通知を
利用者端末３００に電子メールで通知する
該収納通知には
前記取引情報に記載の商品識別コード
が含まれている
【００７１】
該収納通知を利用者端末３００で受信した利用者３５０は
マルチボックス装置１００に対して、商品をマルチボックス装置１００から取り出すための取出し指示情報として、利用者３５０の会員番号と会員パスワード、及び該収納通知に記載されていた商品識別コードを入力する
【００７２】
取出し指示情報の入力は、以下の３種類の方法のうちの何れか１つの方法で行う
第１の方法
利用者端末３００が携帯端末であって
該携帯端末内に記憶されている
商品識別コード
をマルチボックス装置１００に入力する
第２の方法
利用者端末３００が携帯端末であって
該携帯端末内に記憶されている
商品識別コード
をマルチボックス装置１００に入力する
【００７３】マルチボックス装置１００の情報処理部９０は、
入力された取出し指示情報を解析し
取出し指示情報の商品識別コードで識別される商品が収納されている収納部１０の正面側の自動錠付扉２１の施錠を解除するので、利用者３５０は該収納部１０から購入商品を取り出して引き取る
　上記記載から、引用文献１には、次の発明（以下、「引用発明」という。）が記載されているものと認められる。
「販売サイト２００を開設する販売装置２５０と、利用者端末３００と、マルチボックス装置１００と、から構成されているオンライン販売システム（【００３８】−【００３９】）であって、
マルチボックス装置１００は、商品を収納可能な収納部（収納ボックス）を複数備えた商品収納装置であり、各収納部は正面側と背面側の両面に自動錠付扉を備えており（【００４３】）、さらに、情報処理手段を備えており、情報処理手段は各収納部の自動錠付扉の開閉を制御するため各自動錠付扉に接続されており（【００４４】）、
利用者３５０は、自己の利用者端末３００から販売サイト２００にアクセスし、希望する商品の検索・閲覧を行い、購入を行いたい商品の購入契約を行い、購入契約と同時に料金決済を行ってしまう場合には、その手続きも同時に行い（【００４８】）、
販売サイト２００は、商品の購入契約が成されると、該商品を一意に識別可能な商品識別コードを生成すると共に、該商品識別コードを含む取引情報６００を生成して、この取引情報６００をマルチボックス装置１００へ送信し（【００４９】）、
マルチボックス装置１００の設置してある店舗１５０の係員は取引情報６００に記載の商品を取り揃え、マルチボックス装置１００の未使用の収納部の背面側の自動錠付扉を開けて商品を収納し（【００５０】）、
マルチボックス装置１００の何れかの収納部に商品が収納されると、収納通知７００を利用者端末３００に電子メールで通知し、収納通知７００には、取引情報６００に記載の商品識別コードが含まれており（【００５１】）、
収納通知７００を利用者端末３００で受信した利用者３５０は、マルチボックス装置１００に対して、収納通知７００に記載されていた商品識別コードを入力し（【００５２】）、利用者端末３００が携帯端末であって、前記入力は該携帯端末内に記憶されている商品識別コードをマルチボックス装置１００に入力するものであり（【００７２】）、
マルチボックス装置１００は、該商品識別コードで識別される商品が収納されている収納部の正面側の自動錠付扉の施錠を解除し、利用者３５０は該収納部から購入商品を取り出して引き取る（【００５２】）ことにより、
商品の受け取りにあたって店舗の係員とも接触することなく完全な無人化取引が可能となる（【００５３】）、
オンライン販売システム。」
２．引用文献２について
　原査定の拒絶の理由に引用された引用文献２（特開２０１６−１１０５６３号公報）には次の事項が記載されている。
「【００５６】また、
通信端末１０９Ａ〜１０９Ｄは、通常、ＧＰＳ受信機や無線ＬＡＮ基地局の電波強度を測定する測定手段を有している
これら機能により、その通信端末の場所（現在位置）を特定することができる
【００５７】すなわち、
本システムは、基本的には利用者の持ち帰り商品の提供
に用いられることを想定している
従って、その想定を超えた遠方の顧客からの発注は、受け付けるべきではない
【００５８】そこで、例えば
通信端末の位置（緯度および経度）と、その通信端末から発注がなされる店舗の位置（緯度および経度）とから、その通信端末とその店舗との距離を算出し、所定の距離以内でなければその通信端末の画面に「サービス提供範囲外です。」などのメッセージを表示して発注を不可能とし、その通信端末とその店舗との距離が所定の距離以内である場合にのみ発注を受け付けることとしてもよい
【００５９】このような
通信端末と店舗との距離の算出、発注の可否の判定は
サーバ側で行うようにしてもよい
３．引用文献３について
　原査定の拒絶の理由に引用された引用文献３（特開２００２−１７４０６１号公報）には次の事項が記載されている。
「【００６４】
購入者３は商品を選択し購入を行う時
受け渡し場所
を指定する（サーバへ送信する）
【００６５】
販売会社４（サーバ）は、購入者から指定された受け渡し場所の鍵管理装置を予約する
「【００６８】与信チェックに問題がない場合、中央制御装置１０の予約データベース１６に対して、
指定された受け渡しロッカー場所
に鍵管理装置２０の区画が
空いていれば、
予約された鍵管理装置について鍵管理装置情報等を
予約データベース１６に書き込み（予約を行い）
「【００７０】
販売システム３０は、
購入者に予約が正常に受け付けられたことの確認通知を送付する
この際に、鍵管理装置の設置場所を表示する場所情報を提示するようにしてもよい
「【００７５】ここで、
所在場所とは
鍵管理装置の開閉を要求する主体の現在位置を確認するための情報を意味し
【００７６】また、
使用された携帯電話の位置情報に基づいて主体の現在位置を確認するようにしてもよい
【００７７】
これにより、鍵管理装置の開閉を要求する主体が鍵管理装置の付近にいない場合に、誤って鍵管理装置を開錠又は施錠してしまうことを防止することができる
「【００８２】（
購入者が商品を受け取るまでの流れ
【００８３】初めに、購入者３は、商品予約時の個人識別情報で事前に登録した携帯電話１で中央制御装置１０に電話をかける（図２の矢印７１）。この時、中央制御装置側の主制御部１４では、電話番号受信部１２から受け取った発信者の電話番号が予約データベース１６に登録されている電話番号であるかを確認し、一致していない場合は音声応答装置１３で商品予約時に登録されている携帯電話番号でないことを購入者３に通知し通話を切断、一致している場合は音声応答装置１３で確認メッセージと商品識別Ｎｏ／所在場所の入力要求を通知する。
【００８４】次に
購入者３は、
所在場所を携帯電話１で中央制御装置１０に通知する
中央制御装置１０は受け取った
所在場所が予約データベース１６の内容と一致している場合は鍵管理装置２０の
既設ロッカー鍵が格納されている区画２４を購入者３に知らせる
【００８５】購入者３が鍵が格納されている区画２４を確認後、携帯電話１から中央制御装置１０にその鍵格納区画２４の開錠指示を行う。中央制御装置１０は鍵管理装置２０の鍵機構（図２の２５）に開錠指示を行いその区画の鍵が開く。
【００８６】
購入者３は開いた鍵格納区画２４の鍵格納部（図２の２７）から既設ロッカー鍵を取り出し
「【００８８】鍵管理装置２０から鍵取り出しの管理情報を受信した中央制御装置１０は、既設ロッカー鍵が取り出された事を、商品取り出し（商品受け渡し）と判断し、中央制御装置１０は販売システム３０に対して商品受け渡し通知を発行する（図２の７３）。商品受け渡し通知を受け取った販売システム３０は、金融機関／クレジット会社に対し決済処理を行う。
【００８９】
購入者３は、鍵管理装置から取り出した鍵で既設ロッカー４０を開き、商品を受け取る
第５　対比・判断
１．本願発明１について
（１）対比
　本願発明１と引用発明とを対比すると、次のことがいえる。
ア　「ユーザ端末からサーバにアクセスして商品の購入決済を行い、該購入決済後に、商品が収容された商品収容装置から決済した商品の引渡しを受ける無人商品引渡システム」について
　引用発明における「利用者端末３００」、「販売サイト２００」、「マルチボックス装置１００」は、それぞれ、本願発明１における「ユーザ端末」、「サーバ」、「商品収容装置」に相当する。
　そして、引用発明において「利用者端末３００から販売サイト２００にアクセスし、希望する商品の検索・閲覧を行い、購入を行いたい商品の購入契約を行い、購入契約と同時に料金決済を行ってしまう」ことは、本願発明１において「ユーザ端末からサーバにアクセスして商品の購入決済を行」うことに相当する。
　さらに、引用発明において、上記購入契約及び料金決済の後に、マルチボックス装置１００の何れかの収納部に商品が収納され、利用者３５０は該収納部から購入商品を取り出して引き取ることは、本願発明１において「該購入決済後に、商品が収容された商品収容装置から決済した商品の引渡しを受ける」ことに相当する。
　また、引用発明である「オンライン販売システム」は、「商品の受け取りにあたって店舗の係員とも接触することなく完全な無人化取引が可能となる」とされ、「商品の引渡し」を「無人」で行うものといえるから、本願発明１の「無人商品引渡システム」に相当する。
　以上を総合すると、引用発明は、本願発明１の「ユーザ端末からサーバにアクセスして商品の購入決済を行い、該購入決済後に、商品が収容された商品収容装置から決済した商品の引渡しを受ける無人商品引渡システム」に相当する構成を有する。
イ　「サーバ」が有する「前記商品の情報が記憶される第１記憶部」について
　引用発明では、「利用者３５０は、自己の利用者端末３００から販売サイト２００にアクセスし、希望する商品の検索・閲覧を行」う。この検索・閲覧にあたり、「販売サイト２００」の有する構成に「希望する商品」の情報が記憶されることは、当業者に明らかであり、当該構成が、本願発明１における「サーバ」が有する「前記商品の情報が記憶される第１記憶部」に相当する。
　したがって、引用発明は、本願発明１の「サーバ」が有する「前記商品の情報が記憶される第１記憶部」に相当する構成を有する。
ウ　「サーバ」が有する「前記ユーザ端末からの前記商品の購入決済を受付ける決済受付部」について
　引用発明では、「利用者３５０は、自己の利用者端末３００から販売サイト２００にアクセスし、」「購入を行いたい商品の購入契約を行い、購入契約と同時に料金決済を行ってしまう場合には、その手続きも同時に行」う。この購入契約及び料金決済について、「販売サイト２００」においてアクセスを受付ける構成が、本願発明１における「サーバ」が有する「前記ユーザ端末からの前記商品の購入決済を受付ける決済受付部」に相当する。
　したがって、引用発明は、本願発明１の「サーバ」が有する「前記ユーザ端末からの前記商品の購入決済を受付ける決済受付部」に相当する構成を有する。
エ　「サーバ」が有する「購入決済完了後に前記購入決済した際の前記ユーザ端末の現在位置を含む決済完了情報を通知する決済完了通知部」について
　引用発明では、「販売サイト２００は、商品の購入契約が成されると、該商品を一意に識別可能な商品識別コードを生成すると共に、該商品識別コードを含む取引情報６００を生成して、この取引情報６００をマルチボックス装置１００へ送信」する。これは、ウに検討した「購入契約と同時に料金決済を行ってしまう場合」、上記生成及び送信が、購入契約及び料金決済の完了後になされるものとなる。そして、引用発明において購入契約及び料金決済が成されると生成される「商品識別コード」は、決済の完了に対応する情報であることから、本願発明１の「決済完了情報」に相当し、引用発明の「販売サイト２００」において当該「商品識別コード」を含む取引情報６００の送信をする構成が、本願発明１の「サーバ」が有する「決済完了情報を通知する決済完了通知部」に相当する。
　したがって、引用発明は、本願発明１の「サーバ」が有する「購入決済完了後に」「決済完了情報を通知する決済完了通知部」に相当する構成を有する。
オ　「ユーザ端末」が有する「前記サーバの第１記憶部に記憶された商品の購入決済操作を受付ける操作受付部」について
　引用発明では、「利用者３５０は、自己の利用者端末３００から販売サイト２００にアクセスし、」「購入を行いたい商品の購入契約を行い、購入契約と同時に料金決済を行ってしまう場合には、その手続きも同時に行」う。そして、この商品の情報が「サーバ」の「前記商品の情報が記憶される第１記憶部」に相当する構成に記憶されることは、イに検討したとおりである。
　また、引用発明における上記購入契約及び料金決済のための利用者３５０の利用者端末３００からのアクセスについて、「利用者端末３００」の備える構成が利用者３５０の操作を受付けることは、当業者に明らかであり、当該操作を受け付ける構成が、本願発明１における「ユーザ端末」が有する「前記サーバの第１記憶部に記憶された商品の購入決済操作を受付ける操作受付部」に相当する。
　以上を総合すると、引用発明は、本願発明１の「ユーザ端末」が有する「前記サーバの第１記憶部に記憶された商品の購入決済操作を受付ける操作受付部」に相当する構成を有する。
カ　「ユーザ端末」が有する「前記サーバが通知する決済完了情報が記憶される第３記憶部」について
　引用発明では、「収納通知７００には、取引情報６００に記載の商品識別コードが含まれており」、「収納通知７００を利用者端末３００で受信した利用者３５０は、マルチボックス装置１００に対して、収納通知７００に記載されていた商品識別コードを入力し」、「利用者端末３００が携帯端末であって、前記入力は該携帯端末内に記憶されている商品識別コードをマルチボックス装置１００に入力するものであ」る。この「取引情報６００に記載の商品識別コード」、すなわち、取引情報６００に含まれる「商品識別コード」が、本願発明１の「サーバ」が有する「決済完了通知部」が「通知する」「決済完了情報」に相当することは、エに検討したとおりである。
　そして、上記「利用者端末３００が携帯端末であって」、「該携帯端末内に記憶されている商品識別コード」という事項によれば、携帯端末である「利用者端末３００」は、上記「商品識別コード」を記憶する構成を備えるものと認められ、引用発明の当該記憶する構成が、本願発明１の「第３記憶部」に相当する。
　以上を総合すると、引用発明は、本願発明１の「ユーザ端末」が有する「前記サーバが通知する決済完了情報が記憶される第３記憶部」に相当する構成を有する。
キ　「商品収容装置」が有する「電気錠により施錠及び開錠が可能な複数の収容エリアを有し、前記サーバの第１記憶部に記憶されている商品の情報に対応する商品が前記複数の収容エリアのそれぞれに個別に収容される商品収容部」について
　引用発明では、「マルチボックス装置１００は、商品を収納可能な収納部（収納ボックス）を複数備えた商品収納装置であり、各収納部は正面側と背面側の両面に自動錠付扉を備えており」、「さらに、情報処理手段を備えており、情報処理手段は各収納部の自動錠付扉の開閉を制御するため各自動錠付扉に接続されて」いる。この制御のための情報処理手段との接続が電気的になされることは、当業者に明らかであるから、引用発明において情報処理手段に接続され制御される自動錠は、本願発明１の「電気錠」に相当し、引用発明の情報処理手段に接続され開閉が制御される自動錠付扉を備える複数の収納部は、本願発明１の「電気錠により施錠及び開錠が可能な複数の収容エリア」に相当する。
　また、引用発明では、「マルチボックス装置１００の設置してある店舗１５０の係員は取引情報６００に記載の商品を取り揃え、マルチボックス装置１００の未使用の収納部の背面側の自動錠付扉を開けて商品を収納」する。引用発明の「取引情報６００に記載の商品」は、イ−エの検討によれば、本願発明１の「前記サーバの第１記憶部に記憶されている商品の情報に対応する商品」に相当する商品について購入契約及び料金決済がされたものであるから、引用発明の「取引情報６００に記載の商品」は、本願発明１の「前記サーバの第１記憶部に記憶されている商品の情報に対応する商品」に相当する。そして、引用発明において取引情報に応じて上記収納がされることは、本願発明１の「前記サーバの第１記憶部に記憶されている商品の情報に対応する商品が前記複数の収容エリアのそれぞれに個別に収容される」ことに相当する。
　以上を総合すると、引用発明は、本願発明１の「商品収容装置」が有する「電気錠により施錠及び開錠が可能な複数の収容エリアを有し、前記サーバの第１記憶部に記憶されている商品の情報に対応する商品が前記複数の収容エリアのそれぞれに個別に収容される商品収容部」に相当する構成を有する。
ク　「商品収容装置」が有する「前記サーバが発行する決済完了情報が記憶される第４記憶部」、「前記ユーザ端末から決済完了情報を取得し、該取得した前記ユーザ端末の決済完了情報が、前記第４記憶部に記憶される決済完了情報と一致するか否かを判定する第１判定部」及び「一致すると判定される場合に前記決済完了情報に対応する商品が収容された収容エリアの電気錠を開錠する商品引渡部」について
　引用発明では、「収納通知７００を利用者端末３００で受信した利用者３５０は、マルチボックス装置１００に対して、収納通知７００に記載されていた商品識別コードを入力し」、「利用者端末３００が携帯端末であって、前記入力は該携帯端末内に記憶されている商品識別コードをマルチボックス装置１００に入力する」。この、携帯端末である利用者端末３００内に記憶されている商品識別コードをマルチボックス装置１００に入力することは、マルチボックス装置１００からみると当該入力内容を取得することにあたる。また、上記「商品識別コード」が、本願発明１の「決済完了情報」に相当することは、カに検討したとおりである。したがって、引用発明の上記入力に対応するマルチボックス装置１００における取得は、本願発明１の「前記ユーザ端末から決済完了情報を取得」に相当する。
　次に、引用発明では、上記入力された「商品識別コード」に応じて「マルチボックス装置１００は、該商品識別コードで識別される商品が収納されている収納部の正面側の自動錠付扉の施錠を解除」する。これによれば、引用発明では「商品識別コード」で「該商品識別コードで識別される商品が収納されている収納部」が特定でき、入力された「商品識別コード」で特定される「該商品識別コードで識別される商品が収納されている収納部」の施錠を解除するものと解される。そして、当該事項を具体的に実現するためには、少なくとも、マルチボックス装置１００が、「商品識別コード」から「該商品識別コードで識別される商品が収納されている収納部」への対応関係を記憶し、当該記憶した対応関係の中から、入力された「商品識別コード」と「商品識別コード」が一致する対応関係を特定し、当該対応関係に基づいて「該商品識別コードで識別される商品が収納されている収納部」を特定する必要があることは、当業者に明らかである。
　このとき、上記対応関係の記憶をする構成は、対応関係に係る商品識別コードも記憶するから、本願発明１の「前記サーバが発行する決済完了情報が記憶される第４記憶部」に相当する。また、上記入力された「商品識別コード」と「商品識別コード」が一致する対応関係の特定は、入力された「商品識別コード」と前記記憶された「商品識別コード」とが一致するか否かを判定することによりなされるものであり、先に検討した取得と当該判定とをする構成が、本願発明１の「前記ユーザ端末から決済完了情報を取得し、該取得した前記ユーザ端末の決済完了情報が、前記第４記憶部に記憶される決済完了情報と一致するか否かを判定する第１判定部」に相当する。そして、特定された「該商品識別コードで識別される商品が収納されている収納部」の施錠を解除する構成が、本願発明１の「一致すると判定される場合に前記決済完了情報に対応する商品が収容された収容エリアの電気錠を開錠する商品引渡部」に相当する。
　以上を総合すると、引用発明は、本願発明１の「商品収容装置」が有する「前記サーバが発行する決済完了情報が記憶される第４記憶部」、「前記ユーザ端末から決済完了情報を取得し、該取得した前記ユーザ端末の決済完了情報が、前記第４記憶部に記憶される決済完了情報と一致するか否かを判定する第１判定部」及び「一致すると判定される場合に前記決済完了情報に対応する商品が収容された収容エリアの電気錠を開錠する商品引渡部」に相当する構成を有する。
　したがって、本願発明１と引用発明との間には、次の一致点、相違点があるといえる。
＜一致点＞
「ユーザ端末からサーバにアクセスして商品の購入決済を行い、該購入決済後に、商品が収容された商品収容装置から決済した商品の引渡しを受ける無人商品引渡システムであって、
　前記サーバは、
　前記商品の情報が記憶される第１記憶部と、前記ユーザ端末からの前記商品の購入決済を受付ける決済受付部と、購入決済完了後に決済完了情報を通知する決済完了通知部とを有し、
　前記ユーザ端末は、
　前記サーバの第１記憶部に記憶された商品の購入決済操作を受付ける操作受付部と、前記サーバが通知する決済完了情報が記憶される第３記憶部を有し、
　前記商品収容装置は、
　電気錠により施錠及び開錠が可能な複数の収容エリアを有し、前記サーバの第１記憶部に記憶されている商品の情報に対応する商品が前記複数の収容エリアのそれぞれに個別に収容される商品収容部と、前記サーバが発行する決済完了情報が記憶される第４記憶部と、前記ユーザ端末から決済完了情報を取得し、該取得した前記ユーザ端末の決済完了情報が、前記第４記憶部に記憶される決済完了情報と一致するか否かを判定する第１判定部と、一致すると判定される場合に前記決済完了情報に対応する商品が収容された収容エリアの電気錠を開錠する商品引渡部とを有する
　無人商品引渡システム。」
＜相違点＞
（相違点１）本願発明１において、決済完了通知部が通知し、第３記憶部に記憶され、第４記憶部に記憶され、第１判定部が一致するか否かを判定する、「決済完了情報」は「前記購入決済した際の前記ユーザ端末の現在位置を含む」のに対し、引用発明の「商品識別コード」は「前記購入決済した際の前記ユーザ端末の現在位置を含む」ものでない点。
（相違点２）本願発明１の「ユーザ端末」は、「固有の識別子が記憶される第２記憶部」を有するのに対し、引用発明はそのような構成を備えていない点。
（相違点３）本願発明１の「ユーザ端末」は、「ユーザ端末の現在位置を出力する位置情報出力部」を有するのに対し、引用発明はそのような構成を備えていない点。
（２）相違点についての判断
ア　相違点１について
　相違点１に係る本願発明１の「前記購入決済した際の前記ユーザ端末の現在位置を含む」「決済完了情報」は、サーバが有する決済完了通知部が通知し、ユーザ端末が有する第３記憶部に記憶され、商品収容装置が有する第４記憶部に記憶され、商品収容装置が有する第１判定部が一致するか否かを判定するものである。
　一方、引用文献２には、「本システムは、利用者の持ち帰り商品の提供に用いられることを想定している。」「従って、その想定を超えた遠方の顧客からの発注は、受け付けるべきではない」（【００５７】）、「通信端末の位置（緯度および経度）と、その通信端末から発注がなされる店舗の位置（緯度および経度）とから、その通信端末とその店舗との距離を算出し、所定の距離以内でなければその通信端末の画面に「サービス提供範囲外です。」などのメッセージを表示して発注を不可能とし、その通信端末とその店舗との距離が所定の距離以内である場合にのみ発注を受け付けることとしてもよい。」（【００５８】）、「このような通信端末と店舗との距離の算出、発注の可否の判定は」、「サーバ側で行うようにしてもよい」（【００５９】）と記載されている。ここで、上記判定をサーバ側で行うためには当該判定に用いる情報がサーバ側で必要になるから、上記判定をサーバ側で行う場合に通信端末からサーバ側に与えられる発注に係る情報には通信端末の位置情報が含まれるものと解される。
　しかしながら、引用文献２に記載の技術事項は、位置情報に基づいて受け付けるべきではない発注を不可能とすることを目的とするものであるから、発注を可能とした後に用いる本願発明１の「決済完了情報」について、「前記購入決済した際の前記ユーザ端末の現在位置を含む」ようにすることや、「前記購入決済した際の前記ユーザ端末の現在位置を含む」「決済完了情報」を記憶し一致するか否かを判定することを、開示や示唆するものとはいえない。
　また、引用文献３には、「購入者３は商品を選択し購入を行う時に」、「受け渡し場所」「を指定し」（【００６４】）、「販売会社４（サーバ）は、購入者から指定された受け渡し場所の鍵管理装置を予約」し（【００６５】）、「指定された受け渡しロッカー場所」「に鍵管理装置２０の区画が」「空いていれば、」「予約された鍵管理装置について鍵管理装置情報等を」「予約データベース１６に書き込み（予約を行い）」（【００６８】）、「販売システム３０は、」「購入者に予約が正常に受け付けられたことの確認通知を送付する」「際に、鍵管理装置の設置場所を表示する場所情報を提示するようにしてもよ」く（【００７０】）、購入者が商品を受け取る際に、「購入者３は、」「所在場所を携帯電話１で中央制御装置１０に通知」し、「中央制御装置１０は受け取った」「所在場所が予約データベース１６の内容と一致している場合は鍵管理装置２０の」「既設ロッカー鍵が格納されている区画２４を購入者３に知らせ」（【００８４】）、「購入者３は開いた鍵格納区画２４の鍵格納部（図２の２７）から既設ロッカー鍵を取り出し」（【００８６】）、「購入者３は、鍵管理装置から取り出した鍵で既設ロッカー４０を開き、商品を受け取る」（【００８９】）ことが記載されている。
　しかしながら、引用文献３に記載の「所在場所」は、「鍵管理装置の開閉を要求する主体の現在位置を確認するための情報を意味し」（【００７５】）、「これにより、鍵管理装置の開閉を要求する主体が鍵管理装置の付近にいない場合に、誤って鍵管理装置を開錠又は施錠してしまうことを防止する」（【００７７】）ことを目的とした、
商品を受け取る際
前記購入決済した際の
　よって、相違点１に係る本願発明１の構成は、引用発明及び引用文献２、３に記載された技術的事項に基づいて、当業者が容易に想到し得たものではない。
　また、相違点１に係る本願発明１の構成は、引用文献４−７に記載された技術的事項を参照しても、充足することはできないことが明らかである。
イ　相違点２について
　引用文献１の【００４９】，【００５１】，【００６８】，【００７０】に記載されている「利用者３５０の利用者端末３００の利用者端末アドレス」のように、「固有の識別子」は種々のものが一般に用いられており、ユーザ端末に当該識別子が記憶される構成を設けることも、ユーザ端末における当該識別子の参照など種々の目的でなされていることである。
　したがって、引用発明における「ユーザ端末」を「固有の識別子が記憶される第２記憶部」を有するものとすることは、当業者が適宜なし得ることである。
ウ　相違点３について
　引用文献２の【００５６】に「通信端末１０９Ａ〜１０９Ｄは、通常、ＧＰＳ受信機や無線ＬＡＮ基地局の電波強度を測定する測定手段を有している。これら機能により、その通信端末の場所（現在位置）を特定することができる」と記載されているように、ユーザ端末に、ユーザ端末の現在位置を出力する構成を設けることは、発明の具体化にあたり適宜採用し得ることである。
　したがって、引用発明における「ユーザ端末」を「ユーザ端末の現在位置を出力する位置情報出力部」を有するものとすることは、当業者が適宜なし得ることである。
（３）したがって、相違点１に係る構成を備える本願発明１は、当業者であっても、引用発明及び引用文献２−７に記載された技術的事項に基づいて容易に発明できたものとはいえない。
２．本願発明２−６について
　本願発明２−６も、１（２）アに検討した相違点１に係る本願発明１の構成と同一の構成を備えるものであるから、本願発明１と同じ理由により、当業者であっても、引用発明及び引用文献２−７に記載された技術的事項に基づいて容易に発明できたものとはいえない。
第６　むすび
　以上のとおり、本願発明１−６は、当業者が引用発明及び引用文献２−７に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。